(57)【要約】【課題】容易に作製することができ、また作製コストを低減することができるエレベータのホールランタン装置を得る。【解決手段】三方枠３の縦柱３ａの一部には、縦柱開口部７が設けられている。縦柱開口部７は、カバー部材８により塞がれている。カバー部材８は、アクリル製の半透明の平板８ａ，８ｂが接着剤により互いに接合されて構成されている。縦柱３ａの内側には、カバー部材８の位置に対応させて光源収容部９が設けられている。光源収容部９内には、ランプ１０が収容されている。光源収容部９には、乗場側に臨む乗場側開口部１１と、昇降路側に臨む昇降路側開口部１２とが設けられている。ランプ１０からの光は、カバー部材８を通して乗場側へ透過される。昇降路側開口部１２は、蓋部１３により開閉可能となっている。【選択図】図３
2005119762.tif 000002
【特許請求の範囲】
【請求項１】
三方枠の一部に設けられ、乗場側に開口部が設けられた光源収容部、
上記光源収容部内に設けられた光源装置、及び
半透明の平板を有し、上記開口部を塞ぎ、上記光源装置からの光を上記乗場側へ透過するカバー部材
を備えていることを特徴とするエレベータのホールランタン装置。
【請求項２】
上記カバー部材は、互いに接合された複数の上記平板を有していることを特徴とする請求項１に記載のエレベータのホールランタン装置。
【請求項３】
上記カバー部材の上記乗場側の面は、上記三方枠の上記乗場側の面と連続していることを特徴とする請求項１又は請求項２に記載のエレベータのホールランタン装置。
【請求項４】
上記カバー部材は、上記三方枠の上記乗場側の面から上記乗場側へ突出していることを特徴とする請求項１又は請求項２に記載のエレベータのホールランタン装置。
【発明の詳細な説明】
【技術分野】
【０００１】
この発明は、三方枠に取り付けられるエレベータのホールランタン装置に関するものである。
【背景技術】
【０００２】
従来のエレベータのホールランタン装置では、ランプを収容するランプ収容部が三方枠の縦柱に設けられることがある。ランプ収容部には、ランプからの光を乗場側へ透過する表示体が取り付けられている。表示体は、乳白色のアクリルブロックにより構成されている。表示体の平断面の形状は、三角形である。即ち、表示体の厚さは、中央部分が最も厚く、両端部分が最も薄くなっている（例えば、特許文献１の図７参照）。
【０００３】
【特許文献１】特開２００１−１６３５３８号公報
【発明の開示】
【発明が解決しようとする課題】
【０００４】
このように表示体の平断面形状が三角形であることから、アクリル体を断面三角形に削り出す必要がある。従って、表示体の作製のために手間がかかり、また多大な材料コストがかかってしまう。
【０００５】
この発明は、上記のような問題点を解決することを課題としてなされたものであり、容易に作製することができ、また作製コストを低減することができるエレベータのホールランタン装置を得ることを目的とする。
【課題を解決するための手段】
【０００６】
この発明に係るエレベータのホールランタン装置は、三方枠の一部に設けられ、乗場側に開口部が設けられた光源収容部、光源収容部内に設けられた光源装置、及び開口部を塞ぎ、半透明の平板を有し、光源装置からの光を乗場側へ透過するカバー部材を備えている。
【発明の効果】
【０００７】
この発明に係るエレベータのホールランタン装置では、カバー部材は半透明の平板を有しているので、カバー部材を容易に作製することができる。また、安価に入手可能な平板によりカバー部材を作製できるので、カバー部材の作製コストを低減することができる。
【発明を実施するための最良の形態】
【０００８】
実施の形態１．
図１は、この発明の実施の形態１によるエレベータの乗場出入口を示す斜視図である。また、図２は、図１のエレベータの乗場出入口を示す平断面図である。図において、乗場出入口１の左右及び上部には、乗場壁２に対して固定された三方枠３が設けられている。三方枠３の昇降路側には、乗場出入口１を開閉する一対の乗場の戸５が設けられている。各乗場の戸５の下方には、乗場出入口１の間口方向に沿って延びた乗場敷居６が設けられている。
【０００９】
三方枠３は、左右一対の縦柱３ａ，３ｂと上枠３ｃとを有している。縦柱３ａ，３ｂには、かご（図示せず）の到着を点灯して知らせるホールランタン装置４が設けられている。なお、ホールランタン装置４は、中間階ではかごの到着だけでなくかごの進行方向も知らせるものであるので、中間階では、図１に示すように、上下に２つ並べて配置され、最上階及び最下階では１つのみ配置されている。
【００１０】
図３は、図１のホールランタン装置４を示す一部透視斜視図である。また、図４は、図３のホールランタン装置４を示す平断面図である。図において、縦柱３ａの一部には、縦柱開口部７が設けられている。縦柱開口部７は、上下に２つ並べられたアクリル製のカバー部材８により塞がれている。
【００１１】
また、縦柱３ａには、各カバー部材８の位置に対応して縦柱３ａ内に配置された２つの光源収容部９が固定されている。各光源収容部９内には、光源装置であるランプ１０が収容されている。
【００１２】
各光源収容部９には、乗場側に臨む乗場側開口部１１と、昇降路側に臨む昇降路側開口部１２とが設けられている。乗場側開口部１１は、縦柱３ａの一部及びカバー部材８により塞がれている。ランプ１０からの光は、カバー部材８を通して乗場側へ透過される。また、各光源収容部９には、昇降路側開口部１２を開閉する蓋部１３がヒンジ（蝶番）１８を介して回動可能に取り付けられている。昇降路側開口部１２は蓋部１３の回動により開閉され、ランプ１０の交換が可能になる。なお、ランプ１０は、ランプ取付金１５を介して蓋部１３に取り付けられている。また、蓋部１３の先端部は、留めねじ１６により光源収容部９に留められている。
【００１３】
カバー部材８の平断面の形状は、Ｌ字状となっている。また、カバー部材８は、乳白色の半透明部材である。さらに、カバー部材８は、接着剤により互いに接合された２枚の平板（薄板）８ａ，８ｂにより構成されている。即ち、カバー部材８のランプ１０の光が透過される部分の厚さは、ほぼ均一となっている。
【００１４】
カバー部材８の縁部には、縦柱３ａに当接された段差１７が形成されている。カバー部材８の乗場側の面は、段差１７が縦柱３ａに当接されることにより、縦柱３ａの乗場側の面と連続するようになっている。即ち、カバー部材８及び縦柱３ａのそれぞれの乗場側の面は、カバー部材８が縦柱開口部７に嵌められた状態で同一面上に配置される（面一になる）ようになっている。
なお、ホールランタン装置４は、カバー部材８、光源収容部９及びランプ１０を有している。
【００１５】
次に、カバー部材８の作製方法について説明する。
まず、一枚のアクリル板を切断してから所定の形状に加工し、平板８ａ，８ｂを作製する。次に、平板８ａを平板８ｂに対して垂直になるように平板８ａ，８ｂの端部同士を接着剤により接合する。このようにして、カバー部材８を作製する。
【００１６】
このようなホールランタン装置４では、カバー部材８が平板８ａ，８ｂにより構成されているので、カバー部材８の作製のためにアクリル体を削る手間を大幅に少なくすることができ、カバー部材８を容易に作製することができる。また、安価に入手可能な平板によりカバー部材を作製できるので、カバー部材８の材料コストを低減することができる。従って、ホールランタン装置４の作製にかかる手間を少なくすることができ、また製作コストを低減することができる。
【００１７】
また、カバー部材８のランプ１０の光が透過される部分の厚さがほぼ均一になっているので、カバー部材８を通して乗場側へ透過されるランプ１０からの光量がカバー部材８のいずれの箇所でもほぼ同一となり、従来のようなカバー部材８の厚さの違いによる光のむらを生じにくくすることができ、乗場出入口１の意匠性を向上させることができる。
【００１８】
なお、上記の例では、２枚の平板８ａ，８ｂが互いに接合されてカバー部材８が作製されているが、縦柱開口部７を塞ぐことができるのであれば、１枚の平板によりカバー部材を作製してもよい。このようにすると、カバー部材をさらに容易に作製することができる。
【００１９】
実施の形態２．
図５は、この発明の実施の形態２によるホールランタン装置を示す平断面図である。図において、縦柱開口部７は、上下に並べられた２つのカバー部材２１により塞がれている。カバー部材２１は、乳白色の半透明部材である。また、各カバー部材２１は、縦柱３ａの乗場側の面に対して乗場側に突出している。各カバー部材２１には、ランプ１０が内部に収容された光源収容部２２が固定されている。各光源収容部２２には、乗場側に臨む乗場側開口部２３と、昇降路側に臨む昇降路側開口部２４とが設けられている。ランプ１０からの光は、カバー部材２１を通して乗場側へ透過される。また、各光源収容部２２には、昇降路側開口部２４を開閉する蓋部１３がヒンジ１８を介して回動可能に取り付けられている。各光源収容部２２は、縦柱３ａの内面に固定された複数の支持部材２５により支持されている。光源収容部２２は、ボルト３０により支持部材２５に固定されている。
【００２０】
カバー部材２１は、縦柱開口部７の縁部から縦柱３ａの乗場側の面に対して垂直方向へ延出された平板状の延出部２６と、延出部２６の先端に接着剤により接合され、縦柱開口部７を塞ぐカバー本体部２７とを有している。カバー本体部２７の平断面の形状は、Ｌ字状となっている。また、カバー本体部２７は、アクリル製の２枚の平板が接着剤により互いに接合されて構成されている。延出部２６には、縦柱開口部７の縁部に当接される段差２８が形成されている。
なお、ホールランタン装置２９は、カバー部材２１、光源収容部２２及びランプ１０を有している。また、他の構成は実施の形態１と同様である。
【００２１】
次に、ホールランタン装置２９の縦柱３ａへの取り付け手順について説明する。
まず、工場等であらかじめ作製しておいたホールランタン装置２９を乗場側から縦柱開口部７に挿入し、段差２８を縦柱開口部７の縁部に当接させる。この後、昇降路側から光源収容部２４を縦柱３ａ内の各支持部材２５にボルト３０により固定する。この後、ランプ１０の配線等を行い、ホールランタン装置２９の縦柱３ａへの取り付けが完了する。
【００２２】
このようなホールランタン装置２９では、カバー部材２１が縦柱３ａの乗場側の面から乗場側へ突出しているので、カバー部材２１を縦柱３ａに対して立体的に設けることができ、乗場側の乗客に立体感を与えることができる。従って、乗場出入口１の意匠性を向上させることができる。
【００２３】
実施の形態３．
なお、実施の形態２では、延出部２６は縦柱３ａの乗場側の面に対して垂直に延出されているが、図６に示すように、縦柱３ａの乗場側の面に対して延出部２６を傾斜させてもよい。このようにしても、同様に乗場出入口１の意匠性を向上させることができる。
【００２４】
また、各上記実施の形態では、カバー部材の材料はアクリルであるが、例えばガラス等であってもよい。
【００２５】
また、各上記実施の形態では、カバー部材を構成する各平板が接着剤により互いに接合されているが、例えば熱圧着等により各平板を互いに接合してもよい。
【図面の簡単な説明】
【００２６】
【図１】この発明の実施の形態１によるエレベータの乗場出入口を示す正面図である。
【図２】図１のエレベータの乗場出入口を示す平断面図である。
【図３】図１のホールランタン装置を示す一部透視斜視図である。
【図４】図３のホールランタン装置を示す平断面図である。
【図５】この発明の実施の形態２によるエレベータのホールランタン装置を示す平断面図である。
【図６】この発明の実施の形態３によるエレベータのホールランタン装置を示す平断面図である。
【符号の説明】
【００２７】
３  三方枠、４，２９  ホールランタン装置、８，２１  カバー部材、９，２２  光源収容部、１０  ランプ（光源装置）、１１，２３  乗場側開口部（開口部）。
【図１】
2005119762.tif 000003
【図２】
2005119762.tif 000004
【図３】
2005119762.tif 000005
【図４】
2005119762.tif 000006
【図５】
2005119762.tif 000007
【図６】
2005119762.tif 000008